(57)【特許請求の範囲】
【請求項１】
板状の第１端子と、前記第１端子と重ね合わされた板状の第２端子と、を有し、前記第１端子と前記第２端子との間のネジ挿入部にタッピングネジがねじ込まれることで、前記第１端子および前記第２端子が互いに離間するように拡開するボードアンカーであって、
前記第１端子と前記第２端子とが重ね合わされ、前記第１端子と前記第２端子との合計板厚をもつ部分における前記ネジ挿入部を挟んで位置し前記ネジ挿入部に隣接する面に、前記タッピングネジのネジ山が嵌合する雌ねじを形成する複数のネジ受け溝が、前記ネジ山のピッチ及びネジ山形状に合わせて設けられているボードアンカー。
【請求項２】
前記タッピングネジのネジ溝に対向するガイドリブをさらに有する請求項１記載のボードアンカー。
【請求項３】
前記第１端子は、前記第２端子に向かって突出した第１突出部を有し、
前記第２端子は、前記第１端子に向かって突出した第２突出部を有し、
前記第１端子の正面視において、前記第２突出部は前記第１突出部の左側に位置し、前記第１突出部は前記第２突出部の右側に位置し、
右回りでねじ込まれる前記タッピングネジが前記第１突出部および前記第２突出部にくさび状に当たることで、前記第１端子と前記第２端子が拡開する請求項１または２に記載のボードアンカー。
【請求項４】
前記第１突出部と前記第２突出部は、交差している請求項３記載のボードアンカー。
【発明の詳細な説明】
【技術分野】
【０００１】
本発明は、ボードアンカーに関する。
【背景技術】
【０００２】
石膏ボードなどの脆い材質のボードに取付物をネジで固定する際に、ボードアンカーが用いられている。石膏ボードに打ち込まれたボードアンカーにタッピングネジをねじ込むことで、ボードアンカーの２つの端子の先端部が、石膏ボード内や、石膏ボード裏の空間で拡開し、取付物とボードアンカーが石膏ボードに固定される。
【先行技術文献】
【特許文献】
【０００３】
【特許文献１】特許第３９３３１７８号公報
【発明の概要】
【発明が解決しようとする課題】
【０００４】
本発明は、信頼性の高いボードアンカーを提供することを目的とする。
【課題を解決するための手段】
【０００５】
本発明の一態様によれば、ボードアンカーは、板状の第１端子と、前記第１端子と重ね合わされた板状の第２端子と、を有し、前記第１端子と前記第２端子との間のネジ挿入部にタッピングネジがねじ込まれることで、前記第１端子および前記第２端子が互いに離間するように拡開する。前記第１端子と前記第２端子とが重ね合わされ、前記第１端子と前記第２端子との合計板厚をもつ部分における前記ネジ挿入部を挟んで位置し前記ネジ挿入部に隣接する面に、前記タッピングネジのネジ山が嵌合する雌ねじを形成する複数のネジ受け溝が、前記ネジ山のピッチ及びネジ山形状に合わせて設けられている。
【発明の効果】
【０００６】
本発明によれば、信頼性の高いボードアンカーを提供することができる。
【図面の簡単な説明】
【０００７】
【図１】本発明の実施形態のボードアンカーの斜視図である。
【図２】（ａ）は本発明の実施形態のボードアンカーの正面図であり、（ｂ）は図２（ａ）におけるＡ方向から見た側面図である。
【図３】本発明の実施形態のボードアンカーの加工前の展開図である。
【図４】本発明の実施形態のボードアンカーと、タッピングネジとの結合部分の拡大模式図である。
【図５】（ａ）は本発明の実施形態のボードアンカーおよびタッピングネジの石膏ボードへの取付状態を示す断面図であり、（ｂ）は図５（ａ）の下面図である。
【発明を実施するための形態】
【０００８】
以下、図面を参照し、実施形態について説明する。なお、各図面中、同じ要素には同じ符号を付している。
【０００９】
図１は、本発明の実施形態のボードアンカー１の斜視図である。
図２（ａ）はボードアンカー１の正面図であり、図２（ｂ）は図２（ａ）におけるＡ方向から見た側面図である。
【００１０】
ボードアンカー１は、板状の第１端子１１と、第１端子１１と重ね合わされた板状の第２端子１２と、を有し、第１端子１１と第２端子１２との間にタッピングネジがねじ込まれることで、第１端子１１および第２端子１２が互いに離間するように拡開する。
【００１１】
図３は、ボードアンカー１の加工前の展開図である。
【００１２】
実施形態のボードアンカー１は、図３に示す金属（例えば冷間圧延鋼板）の板状部材を加工して得られる。
【００１３】
図３に示すように、第１端子１１と第２端子１２は、連結部１７を介して一体につながって形成され、その連結部１７が折り曲げられることで、第１端子１１と第２端子１２とは互いに重ね合わされる。例えば、図３において右側に位置する第１端子１１が紙面奥側に折り返され、第２端子１２に重ね合わされる。
【００１４】
第１端子１１と第２端子１２とが重ねられた状態で、第１端子１１の側縁部に設けられた突出片１８が折り曲げられ、図１に示すように、互いに重ねられた第１端子１１の側縁部および第２端子１２の側縁部を挟み込むように、第２端子１２に係合される。
【００１５】
第１端子１１および第２端子１２において連結部１７によって連結された部分、および突出片１８によってクランプされた部分は、タッピングネジの挿入を受けても拡開せず、重ね合わされた状態が保持される固定部４１、４２となる。第１端子１１および第２端子１２において、固定部４１、４２よりも下方の部分（先端部６１、６２を含む部分）が拡開可能となる。
【００１６】
図３に示す状態において、第１端子１１と第２端子１２のそれぞれは半円状の頭部２３、２４を有する。第１端子１１と第２端子１２が重ね合わされると、図１に示すように、それぞれの頭部２３、２４は外側に向けて折り曲げられる。折り曲げられた２つの頭部２３、２４が組み合わさって、その内側に円形の開口２５が形成される。その開口２５の下方には、ネジ挿入部２６が確保される。
【００１７】
第１端子１１の先端部６１および第２端子１２の先端部６２は、鋭角状に形成され、第２端子１２の先端部６２は第１端子１１の先端部６１よりも突出している。したがって、第２端子１２の先端部６２のみが先に石膏ボードに打ち込まれる。これにより、より小さな力でボードアンカー１を石膏ボードに打ち込みやすくできる。
【００１８】
前述したように、第１端子１１と第２端子１２とが重ね合わされた部分は、タッピングネジの挿入を受けても拡開しない固定部４１、４２を有する。図２（ａ）に示す正面図において、第１固定部４１と第２固定部４２が、ネジ挿入部２６をＸ方向に挟んで位置している。第１固定部４１および第２固定部４２のそれぞれは、第１端子１１と第２端子１２とが重ね合わされた部分である。
【００１９】
Ｘ方向は、第１端子１１および第２端子１２の幅方向に対応する。第１端子１１と第２端子１１は、図２（ｂ）に示すように、Ｙ方向において重なっている。Ｙ方向は、Ｘ方向に直交する。Ｚ方向は、Ｘ方向およびＹ方向に直交し、タッピングネジが挿入される方向に対応する。
【００２０】
図２（ａ）に示すように、第１固定部４１および第２固定部４２におけるネジ挿入部２６に隣接する部分に、複数のネジ受け溝３１が設けられている。タッピングネジのネジ山に合致したネジ受け溝３１が形成されている。第１固定部４１と第２固定部４２のそれぞれに、ネジ受け溝３１が形成されている。第１固定部４１に形成されたネジ受け溝３１のＺ方向の位置と、第２固定部４２に形成されたネジ受け溝３１のＺ方向の位置は、タッピングネジのネジ山ピッチに合致している。
【００２１】
図４は、ボードアンカー１とタッピングネジ１００との結合部分の拡大模式図である。
【００２２】
複数のネジ受け溝３１が、タッピングネジ１００のネジ山１０１のピッチ及びネジ山形状に合致して設けられている。すなわち、複数のネジ受け溝３１のＺ方向のピッチは、タッピングネジ１００のネジ山１０１のピッチに合致する。
【００２３】
図２（ａ）および図４に示すように、Ｚ方向（タッピングネジ１００の軸方向）において隣り合うネジ受け溝３１の間に、ガイドリブ２１、２２が設けられている。第１端子１１には、第１固定部４１と第２固定部４２との間をつなぐように例えば２本のガイドリブ２１が設けられ、第２端子１２にも、第１固定部４１と第２固定部４２との間をつなぐように例えば２本のガイドリブ２２が設けられている。ガイドリブ２１とガイドリブ２２は、互いに交差している。
【００２４】
第１端子１１に設けられたガイドリブ２１は、タッピングネジの軸径に沿って湾曲し、第２端子１２に設けられたガイドリブ２２は、タッピングネジの軸径に沿って湾曲している。
【００２５】
ネジ挿入部２６の下方には、第１突出部１４と第２突出部１６が設けられている。
【００２６】
図３に示すように、加工前の状態において、第１突出部１４は、第１端子１１に形成された開口１３をＸ方向に分断する矩形状に設けられ、第２突出部１６は、第２端子１２に形成された開口１５をＸ方向に分断する矩形状に設けられている。
【００２７】
それら矩形状の第１突出部１４と第２突出部１６のそれぞれは、図１および図２（ｂ）に示すように曲げ加工される。
【００２８】
すなわち、第１端子１１に設けられた第１突出部１４は第２端子１２に向かって突出し、第２端子１２に形成された開口１５から第２端子１２の外側に突き抜ける。第２端子１２に設けられた第２突出部１６は第１端子１１に向かって突出し、第１端子１１に形成された開口１３から第１端子１１の外側に突き抜ける。
【００２９】
図２（ａ）に示す第１端子１１の正面視において、第２突出部１６は第１突出部１４の左側に位置し、第１突出部１４は第２突出部１６の右側に位置する。逆に、図２（ａ）の紙面裏側の正面視（第２端子１２の正面視）において、第１突出部１４は第２突出部１６の左側に位置し、第２突出部１６は第１突出部１４の右側に位置する。第１突出部１４と第２突出部１６は交差している。
【００３０】
次に、実施形態のボードアンカー１、およびタッピングネジを使って、取付物を石膏ボードに取り付ける方法について説明する。
【００３１】
まず、ボードアンカー１が石膏ボードに打ち込まれる。このとき、第１端子１１と第２端子１２は、閉じている。図２（ｂ）において石膏ボード２００を仮想的に２点鎖線で表している。例えばハンマーでボードアンカー１の頭部２３、２４を叩いて、ボードアンカー１を石膏ボード２００に打ち込む。ボードアンカー１は石膏ボード２００を貫通し、ボードアンカー１の先端部６１、６２は石膏ボード２００の裏側の空間に突き出る。
【００３２】
次に、石膏ボード２００に打ち込まれたボードアンカー１に、取付物を添えタッピングネジをねじ込む。タッピングネジは、ボードアンカー１の開口２５からネジ挿入部２６に右回りでねじ込まれる。
【００３３】
図５（ａ）に示すように、タッピングネジ１００の頭部と石膏ボード２００との間に取付物３００が取付られる。図５（ｂ）は、図５（ａ）の下面図である。
【００３４】
図４に示すように、第１固定部４１および第２固定部４２に形成されたネジ受け溝３１に、タッピングネジ１００のネジ山１０１が嵌合する。ネジ受け溝３１はネジ山１０１が嵌合する雌ねじを形成する。ネジ受け溝３１は、第１端子１１と第２端子１２とが重ね合わされた部分に形成されている。すなわち、２枚の板状の第１端子１１と第２端子１２との合計板厚をもつ部分で、タッピングネジ１００からの力を受ける。そのため、タッピングネジ１００のねじ込みに伴ってタッピングネジ１００からの大きな力が固定部４１、４２に加わっても、固定部４１、４２は変形や破損などせず、ボードアンカー１の信頼性を高くできる。
【００３５】
このとき、ガイドリブ２１、２２は、タッピングネジ１００のネジ溝に対向し、タッピングネジ１００の傾きなどを規制するガイドとして機能する。第１端子１１に形成されたガイドリブ２１は、タッピングネジ１００のネジ山１０１の底部間隔より小さく形成されている。第２端子１２に形成されたガイドリブ２２は、タッピングネジ１００のネジ山１０１の底部間隔より小さく形成されている。タッピングネジ１００のネジ山１０１と、ガイドリブ２１、２２と、の間には設計上隙間が形成され、ガイドリブ２１、２２はタッピングネジ１００からの締付力を受けない。
【００３６】
さらに奥にねじ込まれたタッピングネジ１００が、第１突出部１４および第２突出部１６にくさび状に当たることで、図５（ａ）に示すように、第１端子１１と第２端子１２が拡開する。
【００３７】
前述したように、図２（ａ）に示す第１端子１１の正面視において、第２端子１２に設けられた第２突出部１６は、第１端子１１に設けられた第１突出部１４の左側に位置し、第１突出部１４は第２突出部１６の右側に位置し、右回りでねじ込まれるタッピングネジ１００が第２突出部１６の傾斜面および第１突出部１４の傾斜面に適切な押圧力を与えることで、タッピングネジ１００の回転力が、第１端子１１と第２端子１２とを広げる力に効率的に変換される。
【００３８】
仮に、図２（ａ）に示す第１端子１１の正面視において、第２端子１２に設けられた第２突出部１６が第１端子１１に設けられた第１突出部１４の右側に位置し、第１突出部１４が第２突出部１６の左側に位置していると、タッピングネジ１００の回転力は第１突出部１４および第２突出部１６にうまく伝わらず、第１端子１１と第２端子１２とは拡開しにくくなる。
【００３９】
また、第１突出部１４と第２突出部１６のＸ方向の位置をずらして、第１突出部１４を第２端子１２の外側に突き抜けさせ、第２突出部１６を第１端子１１の外側に突き抜けさせ、第１突出部１４と第２突出部１６とを交差させることで、第１端子１１と第２端子１２の広がる角度を大きくすることができる。これは、ボードアンカー１が石膏ボード２００からより抜けにくくする。
【００４０】
第１端子１１と第２端子１２との拡開によりボードアンカー１は石膏ボード２００に固定され、タッピングネジ１００がネジ受け溝３１に嵌合することで、ボードアンカー１に対してタッピングネジ１００は結合される。タッピングネジ１００を、ねじ込むときと逆の左回りに回すとタッピングネジ１００はボードアンカー１から外れる。第１端子１１および第２端子１２はいわゆる板状片であるので、第１突出部１４および第２突出部１６がタッピングネジ１００から受ける開口力が解除されると、石膏ボード２００からボードアンカー１を引き抜くことができる。
【００４１】
なお、本実施形態のボードアンカー１を打ち込む対象となるボードは、石膏ボードに限らない。
【００４２】
以上、具体例を参照しつつ本発明の実施形態について説明した。しかし、本発明は、それらに限定されるものではなく、本発明の技術的思想に基づいて種々の変形が可能である。
【符号の説明】
【００４３】
１…ボードアンカー、１１…第１端子、１２…第２端子、１４…第１突出部、１６…第２突出部、２１,２２…ガイドリブ、３１…ネジ受け溝、１００…タッピングネジ、２００…石膏ボード、３００…取付物
【図１】
0006895691.tif 000002
【図２】
0006895691.tif 000003
【図３】
0006895691.tif 000004
【図４】
0006895691.tif 000005
【図５】
0006895691.tif 000006